(57)【要約】      （修正有）【課題】コンバイナを迅速に展開可能とすること、展開状態にあるコンバイナの位置の微調整を可能とし、または単純な機構によってコンバイナを移動させることができる表示装置を提供する。【解決手段】表示装置１０は、対向する一対の側板部ＳＰと、前記側板部ＳＰの少なくとも一方に摺動自在に設けられており、第１のカム構造及び第２のカム構造を有する摺動部材と、前記前記第１のカム構造に係合する第１のピン構造及び前記第２のカム構造に係合する第２のピン構造を有する表示部材１３と、を有し、前記第１のカム構造は、前記摺動部材の摺動方向と角度をもって伸長する第１のカム領域及び前記第１のカム領域の端部から連続して形成されておりかつ前記摺動部材の摺動方向と平行に伸長する第２のカム領域を有することを特徴とする。【選択図】図１
2020050341.tif 000002
【特許請求の範囲】
【請求項１】
対向する一対の側板部と、
前記側板部の少なくとも一方に摺動自在に設けられており、第１のカム構造及び第２のカム構造を有する摺動部材と、
前記前記第１のカム構造に係合する第１のピン構造及び前記第２のカム構造に係合する第２のピン構造を有する表示部材と、を有し、
前記第１のカム構造は、前記摺動部材の摺動方向と角度をもって伸長する第１のカム領域及び前記第１のカム領域の端部から連続して形成されておりかつ前記摺動部材の摺動方向と平行に伸長する第２のカム領域を有することを特徴とする表示装置。
【発明の詳細な説明】
【技術分野】
【０００１】
本発明は、表示装置に関する。
【背景技術】
【０００２】
近年、例えば、車両の運転席付近にいわゆるヘッドアップディスプレイが搭載され始めている。ヘッドアップディスプレイは、例えば、イメージコンバイナ（以下、単にコンバイナとも称する）と呼ばれる透光性の表示部材に、自車情報や道路情報、ナビゲーション情報等の運転支援情報を画像表示する表示装置である。
【０００３】
ヘッドアップディスプレイは、例えば、上記したような運転支援情報を、フロントガラスの前方に虚像として表示する。当該運転支援情報は、運転者からは車両前方の景色に重なって視認される。従って、ヘッドアップディスプレイは、運転者の視線をほとんど移動させることなく、運転者に当該運転支援情報を提供することができる。
【０００４】
例えば、特許文献１には、円筒カム機構によって、コンバイナを展開位置と収納位置との間で昇降させるコンバイナ移動機構が開示されている。
【先行技術文献】
【特許文献】
【０００５】
【特許文献１】米国特許出願公開第2013/100535号明細書
【発明の概要】
【発明が解決しようとする課題】
【０００６】
ヘッドアップディスプレイ装置のコンバイナは、例えば、エンジンオフ時にはヘッドアップディスプレイ装置の筐体内に格納され、エンジンスタート時等の使用時には迅速に筐体外へ展開されて、使用可能な状態にされるのが好ましい。その一方で、展開状態におけるコンバイナの適正な位置は、運転者の体格等によって異なる場合がある。コンバイナは展開状態にある際にはゆっくりと動作し、その位置を細かく調整できるのが好ましい。
【０００７】
また、コンバイナの移動機構は、単純な機構であるのが好ましく、ヘッドアップディスプレイ装置の形状または寸法の変更に容易に対応できる機構であるのが好ましい。
【０００８】
本発明は上記した点に鑑みてなされたものであり、例えば、コンバイナを迅速に展開可能とすること、展開状態にあるコンバイナの位置の微調整を可能とすること、または単純な機構によってコンバイナを移動させること等を課題としている。
【課題を解決するための手段】
【０００９】
請求項１に記載の発明は、対向する一対の側板部と、前記側板部の少なくとも一方に摺動自在に設けられており、第１のカム構造及び第２のカム構造を有する摺動部材と、前記前記第１のカム構造に係合する第１のピン構造及び前記第２のカム構造に係合する第２のピン構造を有する表示部材と、を有し、前記第１のカム構造は、前記摺動部材の摺動方向と角度をもって伸長する第１のカム領域及び前記第１のカム領域の端部から連続して形成されておりかつ前記摺動部材の摺動方向と平行に伸長する第２のカム領域を有することを特徴とする表示装置である。
【図面の簡単な説明】
【００１０】
【図１】実施例１に係る表示装置の表示動作時における斜視図である。
【図２】実施例１に係る表示装置の非表示動作時における斜視図である。
【図３】実施例１に係る表示装置のコンバイナユニットの斜視図である。
【図４】実施例１に係る表示装置の移動機構の分解斜視図である。
【図５】実施例１に係る表示装置のコンバイナユニットの昇降動作時における側面図である。
【図６】実施例１に係る表示装置のコンバイナユニットの昇降動作時における側面図である。
【図７】実施例１に係る表示装置のコンバイナユニットのチルト動作状態における側面図である。
【図８】実施例１に係る表示装置のコンバイナユニットのチルト動作状態における側面図である。
【発明を実施するための形態】
【００１１】
以下に本発明の実施例について詳細に説明する。以下の説明においては、表示装置として、例えば表示部としてコンバイナを有するヘッドアップディスプレイ（ＨＵＤ：Head-Up Display）を例に説明する。
【実施例１】
【００１２】
［全体構造］
図１は、実施例１に係る表示装置１０の表示動作時（コンバイナ展開時）における斜視図である。また、図２は、表示装置１０の非表示動作時（コンバイナ収納時）の斜視図で
ある。表示装置１０は、例えば自動車等の移動体に搭載される。例えば、自動車に搭載される際、表示装置１０は、例えばダッシュボード内に収納して搭載される。
【００１３】
筐体１１は、板状の天板部ＴＰを有している。天板部ＴＰには、略矩形状の開口部ＯＰが形成されている。また、筐体１１は、天板部ＴＰの対向する側部から天板部ＴＰに対して略垂直に伸長し、互いに対向している板状の一対の側板部ＳＰを有している。
【００１４】
以下の説明においては、天板部ＴＰの板面Ｓと側板部ＳＰの板面Ｔの交線に略沿った方向を奥行き（前後）方向（Ｘ軸方向）として説明する。また、側板部ＳＰの板面Ｔに垂直な方向を幅方向（Ｙ軸方向）として説明する。また、天板部ＴＰの板面Ｓに略垂直な方向を高さ（上下）方向（Ｚ軸方向）として説明する。
【００１５】
表示部材としてのイメージコンバイナユニット（以下、コンバイナユニットと称する）１３は、透光性を有する板状のコンバイナ部１３Ａを有する部材である。コンバイナ部１３Ａは、その板面が一方の方向（図中矢印ＰＤ方向）に凸に湾曲している。例えば、コンバイナ部１３Ａは、凹面側から照射光が入射すると凸面側空間領域に虚像を形成するように構成されている。
【００１６】
図１に示すように、表示動作時には、コンバイナユニット１３は、筐体１１内、すなわち側板部ＳＰの間の空間から突出して立ち上がった状態となる。すなわちコンバイナユニット１３は、展開位置にある。また、図２に示すように、コンバイナユニット１３は、非表示動作時には、コンバイナ筐体１１内、すなわち側板部ＳＰの間の空間に収納される。すなわち、非表示動作時において、コンバイナユニット１３は、２つの側板部ＳＰの間に形成される収納空間内の収納位置にある。
【００１７】
また、非表示動作時において、開口部ＯＰは、シャッタ１４によって覆われている。シャッタ１４は可動であり、動作時においては、開口部ＯＰを開放するように移動して、筐体１１内に収納される。
【００１８】
具体的には、例えば、表示装置１０の電源投入前（自動車のエンジンの始動前、またはイグニションオン前）においては、コンバイナユニット１３が筐体１１内の収納位置に収納されている。その後、表示装置１０の電源が投入されると、コンバイナユニット１３が収納位置から移動し、展開位置に配置される。コンバイナユニット１３は、側板部ＳＰに対して摺動（スライド移動）可能に支持され、収納位置と展開位置との間で移動する。
【００１９】
図３にコンバイナユニット１３の拡大図を示す。なお、以下の説明において、表示動作時におけるコンバイナ部１３Ａの凸に向かう方向（図中矢印ＰＤ方向）を表示装置１０の前方と、その逆を後方として説明する。
【００２０】
図３に示すように、コンバイナ部１３Ａは、保持部１３Ｂによって固定保持されている。保持部１３Ｂの両側面の各々には、保持部１３Ｂから表示装置１０の幅方向（Ｙ軸方向）に突出している３つのピン構造が形成されている。
【００２１】
第１のピン構造としての昇降駆動ピンＤＰは、３つのピンのうちの最前方のピンであり、側板部ＳＰに沿って摺動（スライド移動）自在に設けられている駆動板（図示せず）に形成されているカム構造によって駆動されてスライド移動するピンである。
【００２２】
第３のピン構造としてのガイドピンＧＰは、３つにピンのうちの前後方向における真ん中のピンであり、側板部ＳＰに形成されているガイド溝（図示せず）に沿って摺動自在である。第２のピン構造としての調整駆動ピンＡＰは、３つのピンの内の最後方のピンであ
り、上記駆動板に形成されているカム構造によって駆動されてスライド移動するピンである。
【００２３】
以下の説明において、表示動作時において保持部１３Ｂからみたコンバイナ部１３Ａの先端の方向を表示装置１０の上方と、その逆を下方として説明する。例えば、表示装置１０を移動体のダッシュボード内に搭載する際は、表示装置１０の前方、すなわち図中矢印ＰＤ方向に移動体（例えば自動車）のフロントガラスが存在する。また、移動体の搭乗者は表示装置１０の後方側からコンバイナユニット１３を見るものとする。
【００２４】
［移動機構］
次に、筐体１１の側板部ＳＰの構造並びにコンバイナユニット１３を移動させる移動機構について説明する。
【００２５】
図４は、表示装置１０の側板部ＳＰに形成されている移動機構の分解斜視図である。移動機構は、一対の側板部ＳＰの少なくとも一方に沿って設けられ、コンバイナユニット１３の昇降駆動ピンＤＰ、ガイドピンＧＰ及び調整駆動ピンＡＰと係合し、すなわち係わり合って互いに相対的に移動可能になっており、表示部材であるコンバイナユニット１３を移動させる。なお、移動機構は、一対の側面部ＳＰの両方に対称に設けられていてもよい。
【００２６】
移動機構は、側板部ＳＰの最も内側に形成されている内側案内板ＳＰ１、案内板ＳＰ１の外側に設けられている外側案内板ＳＰ２を有している。移動機構は、さらに、内側案内板ＳＰ１と外側案内板ＳＰ２との間に設けられ、これらによって案内されて移動する摺動部材として駆動板１５を有している。
【００２７】
内側案内板ＳＰ１には、表示装置１０の前後方向に伸長する長手溝状の２つのスライドレールＳＲ１が設けられている。２つのスライドレールＳＲ１は互いに平行に伸長しかつ前後方向にオフセットして形成されている。
【００２８】
２つのスライドレールＳＲ１の間の領域には、長手穴状の貫通穴としてのガイド穴ＧＨが設けられている。ガイド穴ＧＨは、表示装置１０の後方にいくにつれて上方に向かっていく傾斜を有している。すなわち、ガイド穴ＧＨは、２つのスライドレールＳＲ１と角度を持って形成されている。ガイド穴ＧＨには、コンバイナユニット１３の昇降駆動ピンＤＰが挿入されている。すなわち、昇降駆動ピンＤＰはガイド穴ＧＨに案内されて、ガイド穴ＧＨの伸長方向に沿ってスライド自在になっている。
【００２９】
ガイド穴ＧＨの後方には、ガイド穴ＧＨと平行に伸長している長手溝状のガイド溝ＧＧが設けられている。ガイド溝ＧＧは、内側案内板ＳＰ１の内側面、すなわち外側案内板ＳＰ２に向いた面と反対側の面に形成されている。ガイド溝ＧＧには、コンバイナユニット１３のガイドピンＧＰが挿入されている。すなわち、ガイドピンＧＰは、ガイド溝ＧＧに案内されて、ガイド溝ＧＧの伸長方向に沿ってスライド自在になっている。
【００３０】
ガイド溝ＧＧは、その上端部において、屈曲部ＧＧＶを有している。屈曲部ＧＧＶは、ガイド穴ＧＨの最上部に昇降駆動ピンＤＰが持ち来された際の昇降駆動ピンＤＰを中心とした円弧に沿って伸長している。
【００３１】
ガイド溝ＧＧの後方には、ガイド穴ＧＨと平行に伸長している逃げ穴ＰＨが形成されている。逃げ穴ＰＨは、その上端部においての屈曲部ＰＨＶを有している。屈曲部ＰＨＶは、ガイド穴ＧＨの最上部に昇降駆動ピンＤＰが持ち来された際の昇降駆動ピンＤＰを中心とした円弧に沿って伸長している。
【００３２】
逃げ穴ＰＨには、コンバイナユニット１３の調整駆動ピンＡＰが挿入されている。調整駆動ピンＡＰは、逃げ穴ＰＨに沿って移動自在であるが、逃げ穴ＰＨに案内されてはいない。すなわち、逃げ穴ＰＨは、調整駆動ピンＡＰの逃げとなっている。
【００３３】
内側案内板ＳＰ１の内側には、駆動源としての例えば電気モータである駆動部Ｍが設けられている。駆動部Ｍの駆動シャフト（図示せず）は、内側案内板ＳＰ１を貫通して内側案内板ＳＰ１の外側に設けられている駆動ギアＤＧに接合されている。駆動ギアＤＧは、駆動部Ｍの駆動シャフトが回転すると、内側案内板ＳＰ１の板面と垂直な回転軸回りに回転するようになされている。
【００３４】
中継ギアＴＧは、内側案内板ＳＰ１の外側に、内側案内板ＳＰ１の板面と垂直な回転軸周りに回転自在に設けられている。中継ギアＴＧは、駆動ギアＤＧと噛み合っており駆動ギアＤＧが回転するとそれに応じて回転するようになされている。
【００３５】
外側案内板ＳＰ２には、内側案内板ＳＰ１に設けられている２つのスライドレールＳＲ１のそれぞれと対向する位置に、２つのスライドレールＳＲ２が形成されている。
【００３６】
駆動板１５は、板状の部材である。駆動板１５の前端部領域及び後端部領域のそれぞれには、駆動板１５の板面の両側から垂直に突出したスライドピンＳＬＰが設けられている。スライドピンＳＬＰは、内側案内板ＳＰ１のスライドレールＳＲ１及び外側案内板ＳＰ２のスライドレールＳＲ２にそれぞれ挿入されている。すなわち、スライドピンＳＬＰの各々は、それぞれスライドレールＳＲ１及びＳＲ２に沿ってスライド移動可能になされている。換言すれば、駆動板１５はスライドレールＳＲ１及びＳＲ２の伸長方向に沿ってスライド移動可能になっている。
【００３７】
駆動板１５には、表示装置１０の前後方向に沿って形成されているラックギアＬＧが設けられている。ラックギアＬＧは、駆動板１５の外側面、すなわち外側案内板ＳＰ２を向いた面に、外側案内板ＳＰ２に向かって突出しかつ表示装置の前後方向に伸長している略直方体の突出部の下面に形成されている。ラックギアＬＧは、中継ギアＴＧと噛み合っている。すなわち、中継ギアＴＧの回転に応じて、駆動板１５がスライドレールＳＲ１及びＳＲ２の伸長方向に沿ってスライド移動するようになされている。
【００３８】
駆動板１５は、内側面、すなわち内側案内板ＳＰ１側の面に、ラックギアＬＧと垂直に交叉するように形成されている第１のカム領域としてのカム溝ＣＧを有している。カム溝ＣＧには、内側案内板ＳＰ１のガイド穴ＧＨを通り抜けて突出している昇降駆動ピンＤＰが挿入されている。すなわち、昇降駆動ピンＤＰは、カム溝ＣＧに沿ってスライド移動自在になっている。
【００３９】
カム溝ＣＧは、駆動板１５のスライド移動の方向（摺動方向）に対して角度をもって伸長しており、かつガイド穴ＧＨと角度をもって伸長している。従って、昇降駆動ピンＤＰは、駆動板１５のスライド移動に従ってガイド穴ＧＨ及びカム溝ＣＧに拘束されつつスライド移動する。具体的には、駆動板１５が後方にスライド移動するに従って、昇降駆動ピンＤＰは、ガイド穴ＧＨに沿って上方に移動する。なお、カム溝ＣＧは、駆動板１５のスライド移動の方向に対して角度を有していればよく、必ずしもラックギアＬＧと垂直に伸長していなくともよい。
【００４０】
駆動板１５には、カム溝ＣＧの上端から連続して形成されている第２のカム領域としての第１のカム面ＣＳ１が形成されている。第１のカム面ＣＳ１は、カム溝ＣＧと角度をもって形成されており、表示装置１０の前方に向かってラックギアＬＧと平行に伸長している。すなわち、第１のカム面ＣＳ１は、駆動板１５のスライド移動の方向と平行に形成されている。
【００４１】
上述のように、駆動板１５が後方にスライド移動していく際、昇降駆動ピンＤＰは、ガイド穴ＧＨ及びカム溝ＣＧに沿って上方に移動していく。昇降駆動ピンＤＰが上方に移動していき、カム溝ＣＧの終端部に達すると、昇降駆動ピンＤＰは、カム面ＣＳ１上に乗り上がり、第１のカム面ＣＳ１に接して係合しつつ第１のカム面ＣＳ１と相対的にスライド移動する。
【００４２】
上述のように、第１のカム面ＣＳ１は駆動板１５のスライド移動の方向と平行に形成されているので、昇降駆動ピンＤＰが第１のカム面ＣＳ１上に乗り上がって係合している間は、昇降駆動ピンＤＰは第１のカム面ＣＳ１上を滑りそこから移動しない。すなわち、昇降駆動ピンＤＰは、第１のカム面ＣＳ１と係合している間は、駆動板１５と相対的に移動するがガイド穴ＧＨの最上部において静止している。なお、カム溝ＣＧ及び第１のカム面ＣＳ１を含めて第１のカム構造とする。
【００４３】
駆動板１５のカム溝ＣＧより後方の領域には、第２のカム構造としての第２のカム面ＣＳ２が形成されている。第２のカム面ＣＳ２は、表示装置１０の前後方向に伸長している。また、第２のカム面ＣＳ２は、ラックギアＬＧと角度をもって伸長している。すなわち、第２のカム面ＣＳ２は、駆動板１５のスライド移動の方向と角度をもって伸長している。また、第２のカム面ＣＳ２は、表示装置１０の後方いくにつれて、駆動板１５のスライド移動の方向に対して下方に向かうように傾斜して伸長している。
【００４４】
［非動作状態から動作状態への遷移動作及びチルト動作］
次に、表示装置の側面図である図５、図６、図７及び図８を参照して非動作状態から動作状態への遷移およびその後のチルト動作について説明する。図５、図６、図７及び図８においては、図の簡略化のため、移動機構及びコンバイナユニット１３以外の構造は示していない。また、図５、図６、図７及び図８においては、外側案内板ＳＰ２を省略している。
【００４５】
図５に非動作状態における表示装置１０を示す。非動作状態の際には、駆動板１５は、スライドレールＳＲ１及びＳＲ２に沿った最前位置にある。この際、昇降駆動ピンＤＰは、ガイド穴ＧＨの最下位置にある。すなわち、コンバイナユニット１３は、内側案内板ＳＰ１の間、すなわち側板部ＳＰ（図１または図２参照）の間に収容されている収納位置におかれている。
【００４６】
図６に非動作状態から動作状態に遷移中の表示装置１０を示す。上記非動作状態から、電気モータ（図示せず）が駆動して駆動ギアＤＧが時計回りに回転し、駆動板１５が後方にスライド移動する。駆動板１５が後方に移動すると、昇降駆動ピンＤＰは、カム溝ＣＧ及びガイド穴ＧＨに拘束されつつガイド穴ＧＨに沿って上方に移動し、コンバイナユニット１３も上方に移動していく。
【００４７】
コンバイナユニット１３の移動に従って、ガイドピンＧＰはガイド溝ＧＧに案内されつつ上方にスライド移動する。また、調整駆動ピンＡＰは、逃げ穴ＰＨに沿って上方に移動していく。この際、調整駆動ピンＡＰと駆動板１５は互いに衝突しないように構成されている。
【００４８】
図７に動作状態における表示装置１０を示す。上記遷移状態から、電気モータが駆動して中継ギアＴＧがさらに時計回りに回転して、駆動板１５がさらに後方に移動すると、昇降駆動ピンＤＰはガイド穴ＧＨの最上部に達するとともにガイド溝ＧＧの最上部に達する。
【００４９】
昇降駆動ピンＤＰがガイド溝ＧＧの最上部に達した後に、駆動板１５がさらに後方に移動すると、昇降駆動ピンＤＰは第１のカム面ＣＳ１上に乗り上がる。上記したように、昇降駆動ピンＤＰは、第１のカム面ＣＳ１に乗り上がって係合している間は、駆動板１５がスライド移動してもガイド穴ＧＨの最上部で回動可能に固定されて移動しない。
【００５０】
なお、昇降駆動ピンＤＰは、第１のカム面ＣＳ１と係合している間において、バネ機構（図示せず）によって第１のカム面ＣＳ１に向かって付勢されている。この付勢により、昇降駆動ピンＤＰが第１のカム面ＣＳ１上を滑っている際の昇降駆動ピンＤＰのがたつきを防止することが可能である。
【００５１】
昇降駆動ピンＤＰが第１のカム面ＣＳ１に乗り上がる位置まで駆動板１５が後方にスライド移動すると、調整駆動ピンＡＰが駆動板１５の第２のカム面ＣＳ２と接して係合する。すなわち、昇降駆動ピンＤＰが第１のカム面ＣＳ１と係合している間に、調整駆動ピンＡＰが第２のカム面ＣＳ２と係合する。
【００５２】
図８に示すように、調整駆動ピンＡＰが駆動板１５の第２のカム面ＣＳ２と接した後に、駆動板１５がさらに後方スライド移動すると、調整駆動ピンＡＰは、第２のカム面ＣＳ２上を滑りながら移動する。
【００５３】
上述のように、第２のカム面ＣＳ２は、駆動板１５のスライド移動方向に対して傾斜している。従って、調整駆動ピンＡＰは、駆動板１５が後方に移動すると、それにつれて逃げ穴ＰＨに沿って上方に移動していく。この際、上述のように昇降駆動ピンＤＰは、ガイド穴ＧＨの最上部において回動可能に固定されている。よって、調整駆動ピンＡＰは、昇降駆動ピンＤＰを中心とした円の円弧に沿って、屈曲部ＰＨＶ内を移動する。
【００５４】
このように、調整駆動ピンＡＰが、固定されている昇降駆動ピンＤＰを中心とした円の円弧上を移動することで、コンバイナユニット１３全体の傾きが変化する。すなわち、コンバイナユニット１３の傾きを調整するチルト動作が行われる。
【００５５】
具体的には、駆動板１５が後方に移動するほど、コンバイナユニット１３が前方に向かって回動し、直立状態に近づく、すなわちコンバイナユニット１３の角度が垂直に近づく。また、駆動板１５が前方に移動するほど、コンバイナユニット１３が後方に回動して倒れ、コンバイナユニット１３の傾斜が大きくなる。
【００５６】
なお、このチルト動作の際、ガイドピンＧＰも昇降駆動ピンＤＰを中心とした円の円弧に沿って、屈曲部ＧＧＶに沿って移動する。すなわち、屈曲部ＧＧＶは、昇降駆動ピンＤＰがガイド穴ＧＨの最上部に持ち来された際、言い換えれば昇降駆動ピンＤＰが第２のカム面ＣＳ２と係合している間における昇降駆動ピンＤＰの位置を中心とした円弧に沿って伸長している。
【００５７】
この屈曲部ＧＧＶは、ガイドピンＧＰの直径よりも広い幅を有して、ガイドピンＧＰに対する逃げとして形成されていてもよい。すなわち、屈曲部ＧＧＶは、ガイドピンＧＰと接触しないように形成され、ガイドピンＧＰを案内しなくともよい。
【００５８】
なお、調整駆動ピンＡＰは、第２のカム面ＣＳ２と係合している間において、バネ機構（図示せず）によって第２のカム面ＣＳ２に向かって付勢されている。この付勢により、調整駆動ピンＡＰがカム面Ｃ２上を滑って移動する際に、調整駆動ピンＡＰがカム面Ｃ２から離れてしまうことを防止することができる。また、調整駆動ピンＡＰのがたつきを防
止することが可能である。
【００５９】
本発明の表示装置１０によれば、スライド移動する１つの駆動板１５に形成されたカム溝ＣＧ及び第２のカム面ＣＳ２という駆動板１５のスライド方向に対する傾斜の異なる２つのカム機構によってコンバイナユニット１３の展開収納及びチルト動作が行われる。
【００６０】
すなわち、駆動板１５のスライド移動の方向に対する角度の大きいカム溝ＣＧによって、コンバイナユニット１３の迅速な展開収納が行われる。そして、当該スライド方向に対する角度がカム溝ＣＧより小さい第２のカム面ＣＳ２によってコンバイナユニット１３の精密かつ微細なチルト動作が行われる。なお、上記スライド移動の方向に対するカム溝ＣＧ及び第２のカム面ＣＳ２の各々の角度とは、スライド移動方向とカム溝ＣＧ及び第２のカムＣＳ２の各々とがなす角度のうち９０度以下のものをいう。
【００６１】
これにより、スライド移動する１つの部材である駆動板１５によって、コンバイナユニット１３の迅速な展開収納、及び展開時の精密かつ微細なチルト動作が可能になる。すなわち、単純かつコンパクトな移動機構によってコンバイナユニット１３の迅速な展開収納、及び展開時の精密かつ微細なチルト動作を実現可能である。
【００６２】
このように、コンバイナユニット１３の移動機構を単純かつコンパクトにすることを可能とすることにより、表示装置１０のコンパクト化が可能になる。また、駆動板１５の形状は必要に応じて柔軟に変更可能であるので、コンバイナの移動機構、ひいては表示装置１０の形状及び寸法の変更を容易に行うことが可能となる。
【００６３】
上述したように、第２のカム面ＣＳ２は、駆動板１５の移動方向に対して、カム溝ＣＧよりも緩やかな傾斜を有している。従って、第２のカム面ＣＳ２によって調整駆動ピンＡＰが駆動されているチルト動作の際、カム溝ＣＧによって昇降駆動ピンＤＰが駆動されている際よりも、駆動板１５の移動量、すなわち駆動部Ｍのモータの回転量に対してのコンバイナユニット１３の移動量が少なくなる。
【００６４】
すなわち、チルト動作時において、コンバイナユニット１３は、駆動板１５の移動に伴い、コンバイナユニット１３を収納位置から展開位置に持ち来す時、いわゆる展開時よりもゆっくりかつ少しずつ回動移動する。
【００６５】
このゆっくりとした少量の回動移動は、駆動板１５の移動速度を、展開時から変えずに達成可能である。このことにより、コンバイナユニット１３の回動角度位置を高い精度で調整することが可能となる。また、例えばモータの駆動量制御の精度を変更せずにコンバイナユニット１３の回動角度位置の位置決め精度を高めることが可能である。
【００６６】
さらに、駆動板１５の移動速度を変えずに、すなわち駆動部Ｍのモータの回転速度を変えずに、コンバイナユニット１３の移動速度を展開時には高速に、その後のチルト動作では低速とすることが可能である。すなわち、コンバイナユニットの回動動作中に駆動部Ｍのモータの回転速度を変更する必要が無いので、駆動部Ｍの動作安定性を高めることが可能である。また、駆動部Ｍのモータの回転速度が変化する際に発生するコンバイナユニット１３の不自然な動作を抑制することが可能である。
【００６７】
上記実施例においては、昇降駆動ピンＤＰが第１のカム面ＣＳ１に乗り上がる位置まで駆動板１５が後方にスライド移動すると、調整駆動ピンＡＰが駆動板１５の第２のカム面ＣＳ２と接して係合するとした。この調整駆動ピンＡＰと第２のカム面ＣＳ２とが接して係合するタイミングは、昇降駆動ピンＤＰが第１のカム面ＣＳ１に乗り上がって係合するのと同時であってもよい。また、昇降駆動ピンＤＰが第１のカム面ＣＳ１と係合する前か
らまたは昇降駆動ピンＤＰが第１のカム面ＣＳ１と係合した後に調整駆動ピンＡＰと第２のカム面ＣＳ２が係合してもよい。
【００６８】
また、上記実施例においては、第１のカム面ＣＳ１が、駆動板１５のスライド方向と平行に形成されている場合を例に説明した。しかし、第１のカム面ＣＳ１は、駆動板１５のスライド方向に対して傾斜していてもよい。その場合、昇降駆動ピンＤＰがガイド穴ＧＨの最上部に達する前に第１のカム面ＣＳ１に乗り上がって係合し、チルト動作が開始されるように構成される。また、昇降駆動ピンＤＰが第１のカム面ＣＳ１と係合している間にコンバイナユニット１３の角度が変化するように、第１のカム面ＣＳ１と第２のカム面ＣＳ２とが非平行となるように形成されてもよい。
【００６９】
また、上記実施例においては、移動機構が一対の側板部ＳＰの両方に対称に設けられていてもよいものとした。この場合、駆動板１５は、一方の側板部ＳＰにあれば足りる。
【００７０】
上述した実施例における種々の構成等は、例示に過ぎず、用途等に応じて、適宜選択することができる。
【符号の説明】
【００７１】
１０      表示装置
１１      筐体
１３      コンバイナユニット
１４      シャッタ
１５      駆動板
ＴＰ      天板部
ＳＰ      側板部
ＯＰ      開口部
ＤＰ      昇降駆動ピン
ＧＰ      ガイドピン
ＡＰ      調整駆動ピン
ＧＨ      ガイド穴
ＧＧ      ガイド溝
ＰＨ      逃げ穴
ＣＧ      カム溝
ＣＳ１    第１のカム面
ＣＳ２    第２のカム面
【図１】
2020050341.tif 000003
【図２】
2020050341.tif 000004
【図３】
2020050341.tif 000005
【図４】
2020050341.tif 000006
【図５】
2020050341.tif 000007
【図６】
2020050341.tif 000008
【図７】
2020050341.tif 000009
【図８】
2020050341.tif 000010